(57)【要約】  第１の回転部材と第２の回転部材とを備える、トルクを磁気的に伝達するための装置であって、前記回転部材はディスク形状であり、互いの間で挟まれている。第１の回転部材は、ディスク上に放射状に備え付けられた永久磁石を有しており、第２の回転部材は、その上に配された導電性材料のディスク形状を有している。第２の回転部材は、磁気透過性材料も有している。本明細書に記載の新しい改善点は、以前の円筒状の設計を、同じ磁気回路を用いる代替的なディスク−板／形状設計へと改良したものであり、先行技術が、磁石缶アレイの内部に導電性回転子をより正確に並べることを必要とするとともに、磁石缶と回転子アセンブリとの間の空隙を維持するために機械の土台の補強を必要とするという点において、先行技術の欠点／問題のいくつかを克服している。【選択図】図１
2013529454.tif 000002
【特許請求の範囲】
【請求項１】
トルクを磁気的に伝達するための装置であって、
前記装置は、
２つのディスク形状をした第１のトルク駆動回転部材と、ディスク形状をした第２の駆動回転部材とを備え、
前記２つの第１の回転部材は、前記第２の回転部材のいずれかの側に配され、
前記第２の回転部材は前記２つの第１の回転部材の間に配され、
前記２つの第１の回転部材は、導電性要素と磁気透過性材料とを有し、
前記第２の回転部材は、その上に備え付けられた永久磁石を有し、
前記第１の回転部材は、トルク生成装置によって接続されて駆動され、および、
前記第２の回転部材は、トルク利用装置に接続され、それによって、第１の回転部材の回転は、前記第１の回転部材上の導電性材料を通過する前記第２の回転部材の上に備え付けられた前記永久磁石から生じる磁束線の一部またはすべてによって、前記第２の回転部材の回転を引き起こし、それによって、前記第１の回転部材におけるトルクと回転を引き起こす、装置。
【請求項２】
互いに隣接して配された複数の第１の回転ディスクと、その間に配された複数の第２の回転ディスクがあり、前記第１の回転ディスクは一緒に回転するように機械的に接続され、前記第２の回転ディスクは一緒に回転するように機械的に接続される、請求項１に記載の装置。
【請求項３】
導電性要素を有する回転要素は、導電性のダンベル型の回転子バー形状構造をさらに有する、請求項１に記載の装置。
【請求項４】
導電性要素を有する前記回転要素は、導電性の台形型の回転子バー形状構造をさらに有する、請求項１に記載の装置。
【発明の詳細な説明】
【技術分野】
【０００１】
（関連出願への相互参照）
この出願は、２００５年２月２６日に出願されたＰＣＴ／ＵＳ２０Ｏ５／０６１７９の米国への国内移行出願である、かつ、ＰＣＴ／ＵＳ２０Ｏ５／０６１７９の優先権を主張した、米国出願番号第１０／５９１，３６６の一部継続出願であり、前記ＰＣＴ出願は、２００４年３月１日に出願された米国特許出願第１０／７９０，５７１からの優先権をさらに主張する。
【０００２】
本発明は、隣接する回転ディスクを用いる回転磁気トルク伝達装置に関し、前記隣接する回転ディスクは、交互に、その上に磁石を有するか、磁石を有していない。磁石を有していないディスクは、導電性材料を有する。
【背景技術】
【０００３】
駆動用途において可変トルクを伝達するために、永久磁石励起型機構を考案することが望ましい。とりわけ、ポンプ羽根車、ファン、プロペラ、ホイールなどの可変の出力速度およびトルク装置に対して、モーターまたはエンジンのような低速装置を連結する必要がある。
【０００４】
様々な渦電流クラッチを含む伝達装置が、様々な形状でしばらくの間使用されてきた。先行技術の調査により、これらの渦電流装置が３つの一般的なタイプに限定されることが分かる。
【０００５】
現在の固定ギャップ永久磁石ディスククラッチ（ｆｉｘｅｄ  ｇａｐ  ｐｅｒｍａｎｅｎｔ  ｍａｇｎｅｔ  ｄｉｓｋ  ｃｌｕｔｃｈｅｓ）は、大量のトルクを伝達する能力が限られており、高速で不安定さを引き起こす方法で構築されている。これらの制限により、このような装置の実際的な用途は、低速度、低馬力の用途に限定されてしまう。
【０００６】
渦電流クラッチは、固定ギャップ機構での流束密度を生成して変化させるために、ＤＣ電流を用いる。これらの装置は広範囲の馬力で利用可能であるが、高価で、複雑で、ＤＣ電流および制御部がトルクを引き起こすことを必要とする。ＤＣ電流が望ましくないか、電流を発生させるトルクを制御するための装置が信頼できない、応用例がある。
【０００７】
現在の可変性のギャップ永久磁石ディスククラッチは、大量のトルクを伝達する能力が限られており、高速で不安定さを引き起こすような方法で構築されている。これらの制限により、こうした装置の実際的な用途は、低速度、低馬力の用途に制限されてしまう。
【０００８】
記載された装置は、機械的に安定した操作のために設計された構造とあわせて、磁性材料技術での最新の進歩を利用している。これにより、高馬力の応用を含むあらゆる範囲の動力伝達応用で、装置を使用することができるようになる。装置の構造はさらに、装置を安定させるとともに、モーターやエンジンによってはもとから備わっている高入力速度での動作を可能にする。
【０００９】
記載された装置は、出力伝達駆動部で磁束を生成するために最適なやり方で配された永久磁石および導体を使用する装置である。
【００１０】
本発明の目的は、導電性の回転子設計の代替的な配向性を用いて、誘導磁気回路に改良を加えることであり、該導電性の回転子設計は、導電性材料の外部リングと内部リングが鋼によって囲まれ、（内部リングから外部リングへと）内部リングと外部リング（終端リング）を放射状に接続する回転子バーとともに組み立てられた、ディスク形状の（平らな）構築物を有する。バーは装置によって開発されたトルクプロファイルの調節に必要とされるように、それらを接続する様々な形状（すなわち、丸型、正方形など）から構築され得る。
【００１１】
磁石回転子アセンブリは、回転子ディスクの内部から外部に配向した多くの磁石アレイを形成する同じ放射状のディスク形状も有するとともに、隣接する磁石で対向し、回転子板の厚みによって磁化される、磁気極性を有するであろう。１つの磁石回転子は、２つの誘導回転子アセンブリによって囲まれ（すなわち、磁石回転子の両側に１つ）、それによって、操作中に、より多くの流束／出力が伝達されることを可能にすることに注目する。
【００１２】
我々の検査は、回転子バー構造を備えた我々の誘導式継ぎ手が、始動の間に固有の「滑らかな始動（ｓｏｆｔ  ｓｔａｒｔ）」能力を有していることを明らかにした。このおかげで、高い完成荷重は、継ぎ手の定格トルクの１５０％程度で、静止トルクから最大トルクまで、モーター（または、他のトルク／出力源）によって加速され得る。この性能による利益は、任意の荷重条件のトルクを１５０％程度のトルクに限定するように、かつ、同じ限定によって、トルク脈動（すなわち、ねじり振動）を減じるようにも作用する。このことは、高始動トルクを有するか、あるいは、損害を引き起こしかねない高いスパイク荷重の可能性を有する、すべてのタイプの出力伝達装置の役に立つであろう。
【００１３】
本発明の誘導磁気回路形状は、ブレーキを掛けたり、張力を掛けたりするために、動力計としても利用され得る。これは、誘導回転子をロックして、回転子の内部に追加の冷却配管を挿入して、ブレーキ熱または張力熱／スリップ熱を消すことによって、達成されるであろう。ブレーキシステムと張力システムの両方は、摩耗する部品（すなわち、ブレーキパットなど）がないという事実の恩恵を受けるであろう。
【００１４】
張力をかける追加の能力は、バルブまたはそれ以外の上記のような装置の回転の間に、トルクを制限することである。この利益は、バルブステム／シャフトが、最終プロセスのあいだに破損し得る（すなわち、砕片が最終プロセスの間にバルブ本体で挟まれる場合）可能性を少なくするであろう。これを「誘導式制限トルク（Ｉｎｄｕｃｔｉｖｅ  Ｌｉｍｉｔ  Ｔｏｒｑｕｅ）」とも呼ぶ。
【発明の概要】
【発明が解決しようとする課題】
【００１５】
本発明は、２つの回転要素間に、可変のまたは固定されたトルクを伝達するために、永久磁石を利用する。本発明は、出願人の最初の特許発明米国第７，２９４，９４７号と他の技術で主張されるものを、幾何学的配置と磁気回路において改良したものである。本発明は、元々の円筒状の設計を、同じ磁気回路を用いる代替的なディスク−板／形状設計へと改良するものであり、これは、先行技術が、磁気同心円筒アレイの内部に導電性回転子をより正確に並べることを必要とし、磁石缶（ｍａｇｎｅｔ  ｃａｎ）と回転子アセンブリとの間の空隙を維持するために機械の土台の補強を必要とするという点で、先行技術のいくつかの欠点／問題を克服する。この改良は、２つの外部の導電性回転子板の間で内部磁気回転子アセンブリを再構成することにより、これらの前述の欠点を克服し、それによって、組み立て中に発生する磁性引力の平衡を保つ。
【００１６】
提案された発明は、磁石材料の新しい技術と新しい最適な配置とを利用することによって、前述の制限を克服するとともに、大型の外部電流制御部を必要とすることなく、大量の伝達トルクを機械的に伝達する安定した手段を提供する。
【００１７】
本明細書でとりわけ詳細に記載される改良は、導電性材料の外部リングと内部リングとを含み、内部リングと外部リング（終端リング）を放射状に（すなわち、内部リングから外部リングに）接続する導電性の回転子バーの配向によって、ディスク−板形状の回転子アセンブリ内に含まれる誘導の磁気回路を含む。導電性材料は、回転子アセンブリを形成するために、鉄材料鋼によって囲まれる。バーは、装置によって発生するトルクプロファイルの調節に必要とされるような様々な幾何学的形状（すなわち、丸形、正方形など）から構成され得る。磁石回転子アセンブリは、同じ放射状のディスク形状と、回転子ディスクの内部から外部に配向した磁石アレイとを有し、および、隣接する磁石で対向し、回転子板の厚みによって磁化される、磁気極性を有する。１つの磁石回転子は、２つの誘導回転子アセンブリによって囲まれ（すなわち、磁石回転子の両側に１つ）、それによって、操作中に、平衡化された流束／出力が伝達されることを可能にすることに注目する。導電性の要素と磁気透過性材料とを含む回転部材において、前記回転部材の透過性材料は、強磁性でなくてもよく、永久磁石を有していなくてもよい。
【図面の簡単な説明】
【００１８】
図面は、この明細書の一部を構成し、様々な形態で具体化される、本発明の典型的な実施形態を含む。当然のことながら、いくつかの例において、本発明の種々の態様は、本発明の理解を促すために、誇張されて、または、詳細に示されることもある。本明細書に含まれる本発明の選択された実施形態の記載は、以下のように列挙される。
【００１９】
【図１】２つの平らな導電性磁気回路回転子板と磁気回転子板アセンブリとを用いる、本発明の代替的なディスク−板の実施形態の斜視図である。
【図２】導電性のダンベル型の回転子バー形状構造の代替的な形態の断面図である。
【図３】代替的なダンベル型の回転子バー形状構造に関する、トルク対スリップの曲線を表すプロットである。
【図４】導電性の台形型回転子バー形状構造の代替的な形態の断面図である。
【図５】台形型回転子バー形状構造のための、トルク対スリップの曲線を表すプロットである。
【図６】本発明の導電性の磁気回路の「滑らかな始動」能力（高い慣性荷重を開始する間に提供される）を表すプロットである。プロットは、「Ｆｌｕｘ  Ｄｒｉｖｅ」と標準的な「剛性の」自在継ぎ手（ｆｌｅｘｉｂｌｅ  ｃｏｕｐｌｉｎｇ））の両方に関する電流対時間の比較である。
【図７】本発明の導電性磁気回路の高い慣性荷重を開始する間に提供される「滑らかな始動」能力を表すプロットである。プロットは、「Ｆｌｕｘ  Ｄｒｉｖｅ」と標準的な「剛性の」自在継ぎ手の両方に関する出力対時間の比較である。
【図８】動力計の代替的な実施形態の斜視図である。
【図９】張力装置の代替的な実施形態の斜視図である。
【発明を実施するための形態】
【００２０】
好ましい実施形態の詳細な記載が本明細書で提供される。しかしながら、本発明は様々な形態で具体化されてもよいことを理解する。したがって、本明細書に開示された具体的な詳細は、限定的なものとしてとして解釈されるのではなく、むしろ特許請求の範囲の基礎として、および、事実上、任意の適切に詳細に記載されたシステム、構造、または、手法で、本発明を用いることを当業者に教える代表的な根拠として、解釈される。
【００２１】
図の１−８で示される改善された本発明の実施形態には、中心のディスクが外部の２つのディスクの間に「挟まれる」、合計３つの環状の回転ディスクがある。２つの外部の周囲ディスクは、１つの回転子に機械的に接続され、中心回転ディスクは別の機械的に独立した回転子に機械的に接続される。１つの回転子は、磁気回路の抵抗を弱めるために、磁気透過性材料から作られる。内部で導電性の回転子バーを支持する２つの磁気透過性回転子板があり、磁気透過性材料で製造されており、回転磁石リングから空隙を通って導電性のリング板に伸長する磁場回路を完成させる。この実施形態では、磁気透過性の回転子の磁気透過性材料は、内部の導電性の回転子板リング中の開口を通って伸長する。これは、磁石回転子板リングと導電板リングの間の空隙を減らし、それによって、導電性の回転子板バー内の誘導電流が磁気透過性材料を囲むことを可能にする一方で、磁束を増加させる。この改善された配置は、回転子で、強力に誘発された電磁場を発生させるのに最適であり、それによって、伝達トルクを最大化し、装置のエネルギー伝達をより効率的にする。
【００２２】
本発明は、好ましい実施形態に加えて２つの代替的な実施形態に関して記載されてきたが、本発明は、発明の範囲を、示された特定の形態に限定するものとは意図されておらず、それどころか、添付の請求項によって定義されるような本発明の精神と範囲内に含まれてもいいように、このような代替案、修正案、および、同等物を包含するように意図されている。
【図１】
2013529454.tif 000003
【図２】
2013529454.tif 000004
【図４】
2013529454.tif 000005
【図８】
2013529454.tif 000006
【図９】
2013529454.tif 000007
【図３】
2013529454.tif 000008
【図５】
2013529454.tif 000009
【図６】
2013529454.tif 000010
【図７】
2013529454.tif 000011
【国際調査報告】
2013529454.tif 000012